(57)【特許請求の範囲】
【請求項１】
レーザー光を光源とする照明装置であって、
筐体と、
前記筐体の内部に配置され、前記レーザー光を導光する光ファイバーを保持する保持部と、
前記光ファイバーの光出射面に対向する位置に配置された発光部であって、前記光出射面から出射した前記レーザー光が照射されることにより前記レーザー光を異なる波長に変換して所定の色の光を発する発光部と、
前記発光部に対向する位置に配置され、前記発光部が発した光の配光を制御する第一レンズと、
前記発光部に対する前記レーザー光のスポット径を可変とする可変機構とを備え、
前記可変機構は、前記保持部の位置を調整することで、前記光ファイバーの光出射面から前記発光部までの光路長を調整する光路長調整機構である
照明装置。
【請求項２】
前記光路長調整機構は、前記光路長を無断階で調整する
請求項１に記載の照明装置。
【発明の詳細な説明】
【技術分野】
【０００１】
本発明は、レーザー光を光源とする照明装置に関する。
【背景技術】
【０００２】
従来、レーザー光を励起光として蛍光体を発光させ、所望の光色に変換して照明する照明装置が知られている（例えば、特許文献１参照）。このような照明装置においては、蛍光体から放出された光を、配光制御用のレンズを透過させることによって、照明光の配光を制御している。
【先行技術文献】
【特許文献】
【０００３】
【特許文献１】特開２０１３−２５４６８９号公報
【発明の概要】
【発明が解決しようとする課題】
【０００４】
ここで、照明器具から出射された照明光の配光を可変制御するために、レンズの位置を光軸方向にずらすことが検討されているが、これをすると蛍光体とレンズとの間隔が初期位置から大きくずれる場合がある。この場合、レンズに入射する光が減少し、器具光束が著しく低下するおそれがあった。
【０００５】
このため、本発明の課題は、器具光束の低下抑制を実現することのできる照明装置を提供することである。
【課題を解決するための手段】
【０００６】
本発明の一態様に係る照明装置は、レーザー光を光源とする照明装置であって、筐体と、筐体の内部に配置され、レーザー光を導光する光ファイバーを保持する保持部と、光ファイバーの光出射面に対向する位置に配置された発光部であって、光出射面から出射したレーザー光が照射されることによりレーザー光を異なる波長に変換して所定の色の光を発する発光部と、発光部に対向する位置に配置され、発光部が発した光の配光を制御する第一レンズと、発光部に対するレーザー光のスポット径を可変とする可変機構とを備える。
【発明の効果】
【０００７】
本発明によれば、器具光束の低下抑制を実現することができる。
【図面の簡単な説明】
【０００８】
【図１】実施の形態に係る照明装置の使用態様を示す斜視図である。
【図２】実施の形態に係る照明装置の概略構成を示す斜視図である。
【図３】実施の形態に係る照明装置の概略構成を示す断面図である。
【図４】実施の形態に係る保持部及び光ファイバーが図３の状態よりも発光部から離れた状態を示す断面図である。
【図５】実施の形態に係る保持部及び光ファイバーが図３の状態よりも発光部に近づいた状態を示す断面図である。
【図６】変形例１に係る照明装置の概略構成を示す断面図である。
【図７】変形例２に係る照明装置の概略構成を示す断面図である。
【図８】変形例３に係る照明装置の概略構成を示す断面図である。
【図９】変形例４に係る照明装置の概略構成を示す斜視図である。
【図１０】変形例４に係る照明装置の概略構成を示す断面図である。
【図１１】変形例４に係る照明装置の概略構成を示す断面図である。
【図１２】変形例５に係る照明装置の概略構成を示す断面図である。
【図１３】変形例６に係る照明装置の概略構成を示す断面図である。
【発明を実施するための形態】
【０００９】
以下では、本発明の実施の形態に係る照明装置について、図面を用いて説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
（実施の形態）
以下、実施の形態について説明する。
【００１２】
［照明装置の使用態様］
まず、実施の形態に係る照明装置の使用態様について説明する。
【００１３】
図１は、実施の形態に係る照明装置の使用態様を示す斜視図である。
【００１４】
図１に示すように、照明装置１００は、建築物の一つであるショーウィンドウ３０１の天井、及び、床の複数箇所に取り付けられており、マネキン３０３を照らすスポットライトとして機能している。また、ショーウィンドウ３０１の外には、光源装置１４９が備えられている。光源装置１４９から発せられたレーザー光は、ショーウィンドウ３０１の外部に配線された光ファイバー１５０によって各照明装置１００まで伝送されている。
【００１５】
光源装置１４９は、レーザー光を発生させ、光ファイバー１５０を用いて複数の照明装置１００に対しレーザー光を供給する光源である。具体的に例えば、光源装置１４９は、青紫〜青色（４３０〜４９０ｎｍ）の波長のレーザー光を放射する半導体レーザー素子を複数個備えている。このように、半導体レーザー素子を１箇所に配置することで、半導体レーザー素子を冷却する冷却装置を集中して配置することができ、冷却効率を高めることができるとともに、排熱などを水の加温などに利用することが可能となる。
【００１６】
照明装置１００は、光ファイバー１５０から伝送されたレーザー光を励起光源として白色光を放射する装置である。
【００１７】
［照明装置の構成］
以下、照明装置１００の構成について説明する。
【００１８】
図２は、実施の形態に係る照明装置１００の概略構成を示す斜視図である。図３は、実施の形態に係る照明装置１００の概略構成を示す断面図である。
【００１９】
図２及び図３に示すように、照明装置１００は、筐体２０と、保持部３０と、発光部４０と、第一レンズ５０と、可変機構６０とを備えている。
【００２０】
［筐体］
筐体２０は、保持部３０と、発光部４０と、第一レンズ５０と、可変機構６０とを収容する外観が円柱状の筐体である。筐体２０は、例えばアルミニウム、銅などの熱伝導性が比較的高い金属により形成されている。
【００２１】
筐体２０は、保持部３０と、発光部４０と、可変機構６０とが組み付けられた本体部２１と、本体部２１の一端部に取り付けられたレンズ保持部２２と、本体部２１の他端部に取り付けられたカバー部２３とを備えている。
【００２２】
本体部２１には、当該本体部２１の他端面から軸方向に沿って延在する円柱状の凹部２１１が形成されている。凹部２１１内には、保持部３０が軸方向に沿って移動可能に収容されている。凹部２１１の底部における中央部には、本体部２１の一端部まで貫通する円柱状の貫通孔２１２が形成されている。また、本体部２１の一端面には、貫通孔２１２よりも大径な大径凹部２１３が、貫通孔２１２と同軸となるように形成されている。この大径凹部２１３内に発光部４０が取り付けられている。
【００２３】
また、本体部２１の側面には、可変機構６０の一部を露出させる開口部２１４が形成されている。これにより、本体部２１の外方から可変機構６０の一部を操作することが可能になっている。
【００２４】
また、本体部２１の一端部は、その周縁が全周に亘って凹んでおり、この凹部２１５に対してレンズ保持部２２が嵌合する。同様に、本体部２１の他端部は、その周縁が全周に亘って凹んでおり、この凹部２１６に対してカバー部２３が嵌合する。
【００２５】
レンズ保持部２２は筒状体であり、その内部に第一レンズ５０が固定されている。カバー部２３は筒状態であり、その内部に光ファイバー１５０が収容されている。
【００２６】
［保持部］
保持部３０は、光ファイバー１５０を保持する円柱状の部材である。具体的には、保持部３０の中央部には、一端面から他端面まで軸方向に沿って貫通した嵌合孔３１が形成されている。嵌合孔３１は、光ファイバー１５０の先端部が嵌合する第一孔部３１１と、第一孔部３１１よりも大径な第二孔部３１２とが連続して構成されている。第一孔部３１１は、保持部３０の一端部側に配置され、第二孔部３１２は保持部３０の他端部側に配置されている。また、第一孔部３１１と第二孔部３１２とは同軸に配置されている。
【００２７】
ここで保持部３０に取り付けられる光ファイバー１５０には、フェルール１６０が装着されている。フェルール１６０は、例えば、ステンレス、セラミックスまたは樹脂等から形成された筒状の部材である。フェルール１６０の先端部からは、光ファイバー１５０の一端部が突出している。この光ファイバー１５０の突出した部分が保持部３０の第一孔部３１１に嵌合し、フェルール１６０が保持部３０の第二孔部３１２に嵌合する。第一孔部３１１に嵌合した光ファイバー１５０の先端面は、レーザー光Ｌ１を照射する光出射面１５１であり、保持部３０の一端面に対して面一となっている。そして、光ファイバー１５０の光出射面１５１から照射されたレーザー光Ｌ１は、貫通孔２１２を介して発光部４０に到達する。つまり、レーザー光Ｌ１の光軸方向と、筐体２０の軸方向とは同一方向となる。なお、図３においては、光ファイバー１５０の光出射面１５１から照射されて発光部４０まで到達したレーザー光Ｌ１のみを図示している。
【００２８】
また、保持部３０の外側面には、本体部２１の開口部２１４に対応する部分に、歯型が軸方向に平行に配列された歯車（ラック部３２）が形成されている。このラック部３２は、可変機構６０の一部をなす部位である。
【００２９】
［発光部］
発光部４０は、本体部２１の大径凹部２１３に取り付けられており、本体部２１の貫通孔２１２を通過したレーザー光Ｌ１が照射されることによりレーザー光Ｌ１を異なる波長に変換して、所定の色の光を発する光学素子である。発光部４０は、基板と、蛍光部とを備えている。
【００３０】
基板は、蛍光部を保持するものであり、例えばガラス、サファイアなどの透光性材料から形成されている。基板は、貫通孔２１２を覆うとともに大径凹部２１３内に配置可能な大きさ、形状に形成されている。この基板の外側を向く主面に蛍光部が積層されている。
【００３１】
蛍光部は、例えば、レーザー光Ｌ１によって励起されて蛍光を発する蛍光体の粒子を分散状態で備えており、レーザー光Ｌ１の照射により蛍光体が蛍光を発する。このため、蛍光部の外方の主面が発光面となる。具体的に、蛍光部は、透明な樹脂やガラスからなる基材の内部に蛍光体の粒子が分散されているもの、または、蛍光体の粒子を固めたもの等を例示できる。つまり蛍光部は、レーザー光Ｌ１を蛍光に変換する波長変換部材であると言える。蛍光部は、基板に積層されている。
【００３２】
本実施の形態の場合、蛍光部は白色光を放射するものであり、レーザー光Ｌ１の照射によって赤色を発光する第一蛍光体、青色を発光する第二蛍光体、緑色を発光する第三蛍光体の３種類の蛍光体が適切な割合で含まれている。
【００３３】
蛍光体の種類及び特性は特に限定されるものではないが、比較的高い出力のレーザー光Ｌ１が励起光となるため、熱耐性が高いものが望ましい。また、蛍光体を分散状態で保持する基材の種類は特に限定されるものではないが、透明性が高ければ、白色光の放射効率も高くなるのでよい。また、比較的高い出力のレーザー光Ｌ１が入射するため、耐熱性の高いものがよい。
【００３４】
［第一レンズ］
第一レンズ５０は、発光部４０から発せられた光の配光を制御する配光制御レンズである。第一レンズ５０における発光部４０との対向面は、発光部４０から発せられた光を極力漏らすことなく第一レンズ５０内に取り込むことができる形状となっている。この第一レンズ５０の対向面の形状は、第一レンズ５０と発光部４０との位置関係（間隔）が一定であることを前提として最適化されている。第一レンズ５０と発光部４０との位置関係が初期位置からずれてしまうと、発光部４０から発せられた光が漏れてしまい、器具光束が低下してしまう。このため、本実施の形態では、第一レンズ５０と発光部４０との位置関係（間隔）を変動させないようになっている。
【００３５】
［可変機構］
可変機構６０は、発光部４０に対するレーザー光Ｌ１のスポット径Ｓを可変とする機構である。具体的に、可変機構６０は、保持部３０の位置を調整することで、光ファイバー１５０の光出射面１５１と、発光部４０との光路長Ｄを調整する光路長調整機構である。
【００３６】
可変機構６０は、上述したラック部３２と、当該ラック部３２に係合するピニオン部６１とを備える。
【００３７】
ピニオン部６１は、ユーザーの操作によって回転することで、ラック部３２を軸方向に移動させる円形歯車である。ピニオン部６１は、本体部２１の開口部２１４内に、回転自在に保持されている。ピニオン部６１の回転軸は、本体部２１の軸方向に直交している。そして、ピニオン部６１の一部は、開口部２１４から外方に露出しており、この露出した部分をユーザーが操作することで、ピニオン部６１が時計回りまたは反時計回りで回転する。このピニオン部６１の回転によって、ラック部３２を備える保持部３０の位置が無断階で軸方向に移動することになる。
【００３８】
例えば、図３におけるピニオン部６１が時計回りに回転すると、ラック部３２が他端部側に移動するため、保持部３０が発光部４０から離れる。つまり、光ファイバー１５０の光出射面１５１から発光部４０までの光路長Ｄが長くなる。
【００３９】
図４は、実施の形態に係る保持部３０及び光ファイバー１５０が図３の状態よりも発光部４０から離れた状態を示す断面図である。図４に示すように、光ファイバー１５０から照射されたレーザー光Ｌ１のスポット径Ｓ１は、図３の状態のスポット径Ｓよりも大きくなっていることが分かる。これにより、発光部４０で発せられる光の配光分布を広げることができ、結果的に第一レンズ５０から放出される光の配光も広げられることになる。
【００４０】
他方、ピニオン部６１が反時計回りに回転すると、ラック部３２が一端部側に移動するため、保持部３０が発光部４０に近づく。つまり、光ファイバー１５０の光出射面１５１から発光部４０までの光路長Ｄが短くなる。
【００４１】
図５は、実施の形態に係る保持部３０及び光ファイバー１５０が図３の状態よりも発光部４０に近づいた状態を示す断面図である。図５に示すように、光ファイバー１５０から照射されたレーザー光Ｌ１のスポット径Ｓ２は、図３の状態のスポット径Ｓよりも小さくなっていることが分かる。これにより、発光部４０で発せられる光の配光分布を狭めることができ、結果的に第一レンズ５０から放出される光の配光も狭まることになる。
【００４２】
［照明装置の作用］
次に、照明装置１００の作用について説明する。
【００４３】
点灯時においては、光ファイバー１５０から照射されたレーザー光Ｌ１は、本体部２１の貫通孔２１２を介して発光部４０に到達することにより、発光部４０によって白色光となって、第一レンズ５０から所定の配光で外方に放出される。
【００４４】
そして、ユーザーは、本体部２１の開口部２１４から露出したピニオン部６１を操作する。これにより、保持部３０の位置が調整されて、光路長Ｄも調整される。したがって、発光部４０に対するレーザー光Ｌ１のスポット径Ｓが調整されることになり、所望の配光で第一レンズ５０から光を放出することができる。
【００４５】
［効果など］
以上のように、本実施の形態によれば、レーザー光Ｌ１を光源とする照明装置１００は、筐体２０と、筐体２０の内部に配置され、レーザー光Ｌ１を導光する光ファイバー１５０を保持する保持部３０と、光ファイバー１５０の光出射面１５１に対向する位置に配置された発光部４０であって、光出射面１５１から出射したレーザー光Ｌ１が照射されることによりレーザー光Ｌ１を異なる波長に変換して所定の色の光を発する発光部４０と、発光部４０に対向する位置に配置され、発光部４０が発した光の配光を制御する第一レンズ５０と、発光部４０に対するレーザー光Ｌ１のスポット径Ｓを可変とする可変機構６０とを備える。
【００４６】
この構成によれば、可変機構６０が発光部４０に対するレーザー光Ｌ１のスポット径Ｓを可変としているので、第一レンズ５０と発光部４０との位置関係（間隔）を変動させなくとも、第一レンズ５０から放出される光の配光を制御することができる。つまり、前記位置関係の変動を起因とした第一レンズ５０に入射する光の減少を防止しつつも、配光制御が可能となる。したがって、器具光束の低下抑制を実現することができる。
【００４７】
また、可変機構６０は、保持部３０の位置を調整することで、光ファイバー１５０の光出射面１５１から発光部４０までの光路長Ｄを調整する光路長調整機構である。
【００４８】
この構成によれば、光路長Ｄを調整することで、発光部４０に対するレーザー光Ｌ１のスポット径Ｓを調整することができる。
【００４９】
また、光路長調整機構は光路長Ｄを無断階で調整する。
【００５０】
この構成によれば、光路長Ｄを無断階で調整することができるので、配向制御を微調整することができる。
【００５１】
［変形例１］
次に、本実施の形態に係る変形例１について説明する。
【００５２】
図６は、変形例１に係る照明装置１００Ａの概略構成を示す断面図であり、具体的には図３に対応した図である。
【００５３】
なお、以降の説明においては、実施の形態に係る照明装置１００と同一の部分においては同一の符号を付してその説明を省略し、異なる部分についてのみ説明する。
【００５４】
上記実施の形態では、ラック部３２とピニオン部６１とを備える可変機構６０を例示した。この変形例１では、ラック部３２と、ウォームギア６２とを備える可変機構６５を例示する。
【００５５】
図６に示すように、可変機構６５のウォームギア６２は、ユーザーの操作によって回転することで、ラック部３２を軸方向に移動させるネジ歯車である。ウォームギア６２は、本体部２１の開口部２１４内に、回転自在に配置されている。ウォームギア６２の回転軸は、本体部２１の軸方向に平行となっている。そして、ウォームギア６２の一部は、開口部２１４から外方に露出しており、この露出した部分をユーザーが操作することで、ウォームギア６２が回転する。このウォームギア６２の回転によって、ラック部３２を備える保持部３０の位置が無断階で軸方向に移動することになる。したがって、この変形例１に係る可変機構６５においても、保持部３０の位置を調整することができ、光ファイバー１５０の光出射面１５１から発光部４０までの光路長Ｄを調整することができる。
【００５６】
［変形例２］
次に、本実施の形態に係る変形例２について説明する。
【００５７】
図７は、変形例２に係る照明装置１００Ｂの概略構成を示す断面図であり、具体的には図３に対応した図である。
【００５８】
上記実施の形態及び変形例１では、歯車を用いて保持部３０の位置調整を無断階に行う場合を例示した。この変形例２では、リンク機構を用いて保持部を無断階に位置調整する構造を例示する。
【００５９】
図７に示すように、照明装置１００Ｂに備わる可変機構７０は、保持部３０Ｂを位置調整するリンク機構である。なお、変形例２の保持部３０Ｂは、ラック部３２が形成されておらず、全体として円柱状に形成されている。この保持部３０Ｂの外周面の一部に可変機構７０が連結されている。
【００６０】
可変機構７０は、断面視Ｔ字状のリンク体７１を備えている。リンク体７１は、本体部２１の開口部２１４内に配置されている。リンク体７１の中央部は、本体部２１に対して軸支されており、これによってリンク体７１が開口部２１４内で搖動するようになっている。また、リンク体７１の一端部は、保持部３０Ｂの外周面の一部に回動自在に保持されている。他方、リンク体７１の他端部は、開口部２１４から露出している。このリンク体７１の露出した部分をユーザーが操作することでリンク体７１が搖動する。このリンク体７１の搖動によって、保持部３０Ｂの位置が無断階で軸方向に移動することになる。したがって、この変形例２に係る可変機構７０においても、保持部３０Ｂの位置を調整することができ、光ファイバー１５０の光出射面１５１から発光部４０までの光路長Ｄを調整することができる。
【００６１】
なお、この変形例２で例示した可変機構７０は、簡素なリンク機構を示すあくまで一例である。保持部３０Ｂの位置調整を無断階に行えるのであれば、リンク機構の構成は如何様でもよい。
【００６２】
［変形例３］
次に、本実施の形態に係る変形例３について説明する。
【００６３】
図８は、変形例３に係る照明装置１００Ｃの概略構成を示す断面図であり、具体的には図３に対応した図である。
【００６４】
この変形例３では、ネジを用いて保持部を無断階に位置調整する構造を例示する。
【００６５】
図８に示すように、照明装置１００Ｃに備わる可変機構８０は、保持部３０Ｃを位置調整するねじ機構である。可変機構８０は、本体部２１Ｃの一部と、保持部３０Ｃの一部とから構成されている。具体的に、本体部２１Ｃの凹部２１１には、雌ネジ２１７が形成されている。保持部３０Ｃは、雌ネジ２１７に螺合する雄ネジ３１０と、ネジ頭３１３とを有する。ネジ頭３１３は、カバー部２３の内部に収まる大きさで形成されている。そして、保持部３０Ｃの雄ネジ３１０とネジ頭３１３とを貫通するように嵌合孔３１が形成されている。この嵌合孔３１の第一孔部３１１には、光ファイバー１５０の先端部が嵌合しており、第二孔部３１２には、フェルール１６０が嵌合している。そして、保持部３０Ｃのネジ頭３１３を回転させて、雄ネジ３１０と雌ネジ２１７との相対的な位置関係を調整することで、保持部３０Ｃの位置が無断階で軸方向に移動することになる。したがって、この変形例３に係る可変機構８０においても、保持部３０Ｃの位置を無断階で調整することができ、光ファイバー１５０の光出射面１５１から発光部４０までの光路長Ｄを調整することができる。
【００６６】
なお、保持部３０Ｃを回転させる際においては、本体部２１からカバー部２３を取り外してネジ頭３１３を回転させることになる。
【００６７】
［変形例４］
次に、本実施の形態に係る変形例４について説明する。
【００６８】
図９は、変形例４に係る照明装置１００Ｄの概略構成を示す斜視図であり、具体的には図２に対応した図である。図１０は、変形例４に係る照明装置１００Ｄの概略構成を示す断面図であり、具体的には図３に対応した図であり、具体的には図１１に示すＸ−Ｘ切断線を含む切断面を見た断面図である。図１１は、変形例４に係る照明装置１００Ｄの概略構成を示す断面図であり、具体的には図１０に示すＸＩ−ＸＩ切断線を含む切断面を見た断面図である。
【００６９】
図９〜図１１に示すように、照明装置１００Ｄに備わる可変機構８５は、本体部２１Ｄに対して保持部３０Ｄを割り締めする割り占め機構である。なお、変形例４の保持部３０Ｄは、全体として円柱状に形成されている。
【００７０】
可変機構８５は、本体部２１Ｄと、ボルト８６と、ナット８７によって構成されている。本体部２１Ｄは、ボルト８６とナット８７とによって締結されることによって、保持部３０Ｄを固定する割り締め部である。具体的には、本体部２１Ｄは、締結前においては、その内径が本体部２１の外径よりも大きくなっている。この状態では、本体部２１Ｄと保持部３０Ｄとの相対的な位置関係が固定されていない。つまり、保持部３０Ｄの位置を無断階で調整することができ、光ファイバー１５０の光出射面１５１から発光部４０までの光路長Ｄを調整することができる。
【００７１】
また、本体部２１Ｄの両端部には、対向する一対のリブ２１８が形成されている。一対のリブ２１８には、それぞれボルト８６が挿入される貫通孔２１９が形成されている。一対のリブ２１８の貫通孔２１９にボルト８６を挿入して、当該ボルト８６にナット８７を締め付けることで、一対のリブ２１８の間隔が狭まって、本体部２１Ｄの内径も小さくなる。これにより、本体部２１Ｄに対して保持部３０Ｄが固定される。これにより、保持部３０Ｄの位置を固定することができる。
【００７２】
なお、保持部３０Ｄの位置を調整する際においては、本体部２１Ｄからカバー部２３を取り外してフェルール１６０を操作することで、保持部３０Ｄの位置を調整すればよい。
【００７３】
［変形例５]
次に、本実施の形態に係る変形例５について説明する。
【００７４】
図１２は、変形例５に係る照明装置１００Ｅの概略構成を示す断面図であり、具体的には図３に対応した図である。
【００７５】
上記実施の形態及び変形例１〜４では、保持部の位置を無断階で調整する構造を例示した。この変形例５では、保持部３０Ｅの位置を段階的に調整する構造について説明する。
【００７６】
図１２に示すように、照明装置１００Ｅに備わる可変機構９０は、保持部３０Ｅを段階的に位置調整する調整機構である。可変機構９０は、本体部２１Ｅの一部と、保持部３０Ｅの一部と、係止ピン９１とから構成されている。具体的に、本体部２１Ｅには、係止ピン９１が挿通される貫通孔２２０が形成されている。保持部３０Ｅの外周面には、複数の係合穴３０５が軸方向に沿って配列されている。係止ピン９１は、貫通孔２２０を挿通されると、その先端部が係合穴３０５に係合される。これにより、係止ピン９１が保持部３０Ｅの位置を固定する。つまり、係止ピン９１が係合穴３０５に係合していない状態であると、保持部３０Ｅは本体部２１Ｅに対して相対的に移動することが可能であり、保持部３０Ｅの位置を調整することができる。そして、係止ピン９１を貫通孔２２０に挿通して、当該係止ピン９１の先端部を、複数の係合穴３０５のうち、１つの係合穴３０５に係合させれば、保持部３０Ｅの位置を段階的に調整して、固定することができる。
【００７７】
したがって、この変形例５に係る可変機構９０においても、保持部３０Ｅの位置を調整することができ、光ファイバー１５０の光出射面１５１から発光部４０までの光路長Ｄを調整することができる。
【００７８】
［変形例６]
次に、本実施の形態に係る変形例６について説明する。
【００７９】
図１３は、変形例６に係る照明装置１００Ｆの概略構成を示す断面図であり、具体的には図３に対応した図である。
【００８０】
上記実施の形態及び変形例１〜５では、光路長Ｄを調整することで、レーザー光Ｌ１の発光部４０に対するスポット径Ｓを可変とする光路長調整機構としての可変機構を例示した。この変形例６では、レーザー光Ｌ１を発光部４０に対して集光する第二レンズ９６を備え、この第二レンズ９６の位置を調整することで、発光部４０に対するスポット径Ｓを可変とする可変機構９５について説明する。
【００８１】
具体的には、変形例５に係る照明装置１００Ｆの可変機構９５は、第二レンズ９６と、レンズ位置調整部９７とを備えている。
【００８２】
第二レンズ９６は、集光レンズであり、光ファイバー１５０の光出射面１５１と発光部４０との間に配置されている。これにより、第二レンズ９６は、レーザー光Ｌ１を発光部４０に対して集光する。
【００８３】
レンズ位置調整部９７は、第二レンズ９６を保持する第二レンズ保持部９８と、第二レンズ保持部９８を移動させるピニオン部９９とを備えている。
【００８４】
第二レンズ保持部９８は、円筒状の部材であり、その中空部分で第二レンズ９６を保持している。第二レンズ保持部９８の外側面には、本体部２１Ｆの開口部２１４に対応する部分に、歯型が軸方向に平行に配列された歯車（ラック部９４）が形成されている。
【００８５】
ピニオン部９９は、上記実施の形態で例示したピニオン部６１と同等のものである。ピニオン部９９は、ユーザーの操作によって回転することで、ラック部９４を軸方向に移動させて、第二レンズ保持部９８の位置を無断階で調整する。
【００８６】
この照明装置１００Ｆの場合、保持部３０Ｆは、本体部２１Ｆに固定されており、光ファイバー１５０の光出射面１５１から発光部４０までの光路長Ｄは調整できないようになっている。つまり、レンズ位置調整部９７によって第二レンズ９６の位置を調整することで、発光部４０に対するレーザー光Ｌ１のスポット径Ｓを調整することができる。
【００８７】
この変形例６によれば、可変機構９５は、光ファイバー１５０の光出射面１５１と発光部４０との間に配置されて、レーザー光Ｌ１を発光部４０に対して集光する第二レンズ９６と、光軸方向における第二レンズ９６の位置を調整するレンズ位置調整部９７とを備える。
【００８８】
この構成によれば、第二レンズ９６の位置を調整することで、発光部４０に対するレーザー光Ｌ１のスポット径Ｓを調整することができる。
【００８９】
また、レンズ位置調整部９７は、第二レンズ９６の位置を無断階で調整する。
【００９０】
この構成によれば、第二レンズ９６の位置を無断階で調整することができるので、配向制御を微調整することができる。
【００９１】
なお、変形例６におけるレンズ位置調整部９７では、上記実施の形態で例示した可変機構６０と同等の構成を採用しているが、第二レンズ９６の位置を調整できるのであれば、如何様の構成であってもよい。例えば、変形例２〜５で例示した可変機構と同等の構成を、レンズ位置調整部に採用することも可能である。
【００９２】
以上、本発明に係る照明装置について、上記実施の形態及び変形例に基づいて説明したが、本発明は、上記の実施の形態及び変形例に限定されるものではない。
【００９３】
その他、実施の形態及び変形例に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００９４】
２０  筐体
３０、３０Ｂ、３０Ｃ、３０Ｄ、３０Ｃ、３０Ｅ、３０Ｆ  保持部
４０  発光部
５０  第一レンズ
６０、６５、７０、８０、８５、９０  可変機構（光路長調整機構）
９５  可変機構
９６  第二レンズ
９７  レンズ位置調整部
１００、１００Ａ、１００Ｂ、１００Ｃ、１００Ｄ、１００Ｅ、１００Ｆ  照明装置
１４９  光源装置
１５０  光ファイバー
１５１  光出射面
Ｄ  光路長
Ｌ１  レーザー光
Ｓ、Ｓ１、Ｓ２  スポット径
【図１】
0006692039.tif 000002
【図２】
0006692039.tif 000003
【図３】
0006692039.tif 000004
【図４】
0006692039.tif 000005
【図５】
0006692039.tif 000006
【図６】
0006692039.tif 000007
【図７】
0006692039.tif 000008
【図８】
0006692039.tif 000009
【図９】
0006692039.tif 000010
【図１０】
0006692039.tif 000011
【図１１】
0006692039.tif 000012
【図１２】
0006692039.tif 000013
【図１３】
0006692039.tif 000014